(57)【要約】【課題】  ソフトテニスの競技におけるソフトテニスボールのバウンドする高さの計測を容易かつ正確に行うことができるソフトテニスボールの反発計測用具を提供する。【解決手段】  プレート部（２）と紐状部（３）と錘部（４）とからなり、該プレート部（２）と該錘部（４）とは該紐状部（３）で連結されるとともに該紐状部（３）に複数のマーカー部（５）を備え、該プレート部（２）の上辺から該錘部（４）の底面までの長さが１５０ｃｍとし、該紐状部（３）に備えられた該マーカー部（５）は、該錘部（４）の底面から該プレート部（２）方向に向かって７０ｃｍの位置及び８０ｃｍの位置に備えた。【選択図】図２
0003190767.tif 000002
【実用新案登録請求の範囲】
【請求項１】
ソフトテニスボールのコート面からの反発高さを計測する用具であって、プレート部と紐状部と錘部とからなり、該プレート部と該錘部とは該紐状部で連結されるとともに、該紐状部に複数のマーカー部を備えたことを特徴とするソフトテニスボールの反発計測用具。
【請求項２】
ソフトテニスボールのコート面からの反発高さを計測する用具であって、プレート部と紐状部と錘部とからなり、該プレート部と該錘部とは該紐状部で連結されるとともに該紐状部に複数のマーカー部を備え、該プレート部の上辺から該錘部の底面までの長さが１５０ｃｍとし、該紐状部に備えられた該マーカー部は、該錘部の底面から該プレート部方向に向かって７０ｃｍの位置及び８０ｃｍの位置に備えられていることを特徴とするソフトテニスボールの反発計測用具。
【考案の詳細な説明】
【技術分野】
【０００１】  本考案は、ソフトテニスボールの反発を計測する用具に関し、特にソフトテニスボールを所定の高さから自由落下させたときの地面からバウンドする高さを計測する用具に関する。
【背景技術】
【０００２】  従来、ソフトテニスの競技の際、ソフトテニスボールを１．５０ｍの高さからコート面に自由落下させたとき、バウンドした高さがソフトテニスボールの下端で７０ｃｍから８０ｃｍまでの範囲となるようソフトテニスボールの空気圧を調節する。これは、ソフトテニスボールの空気圧は、競技するコートの温度、気圧、標高などによって大きく変化し、バウンドする量に大きな影響を及ぼすからである。【０００３】  そこで、ソフトテニスの競技におけるボールの規格が定められている。具体的には、財団法人日本ソフトテニス連盟「定めたソストテニスハンドブック」競技規則中の第３章（用具）第１３条（ボール）に定められている。当該部分の第３章（用具）第１３条（ボール）の（１）を引用すると、「バウンドの高さは、マッチを行うコートにおいてボールの下端が１．５０ｍの高さから故意に力を加えることなく落下させた場合、コート面で弾んだ後の最高到達点がボールの下端で７０ｃｍから８０ｃｍまでの範囲となるよう調節する。」と記載されている。【０００４】  そして、実際のソフトテニスの競技の際は、このソフトテニスボールのバウンドする高さの計測は一般的に目測で行われることが多い。【０００５】  なお、上記のソフトテニスボールのバウンドした高さを計測する用具に関しての先行技術文献は特に発見しなかったので、計測用具の一般的な技術として、実用新案登録第３１４２０４２号公報（特許文献１）、実開昭５０−２７７０２号公報（特許文献１）を示す。
【先行技術文献】
【特許文献】
【０００６】
【特許文献１】  実用新案登録第３１４２０４２号公報
【特許文献２】  実開昭５０−２７７０２号公報
【考案の概要】
【考案が解決しようとする課題】
【０００７】  ところで、従来の目測による測定では、測定者の感覚によって行われるため、極めて不正確であり、はたして規定の７０ｃｍから８０ｃｍに収まっているか否かについては大いに疑問が残るところである。【０００８】  そこで本考案は、上記課題を解消し、ソフトテニスの競技におけるソフトテニスボールのバウンドする高さの計測を容易かつ正確に行うことができるソフトテニスボールの反発計測用具を提供することを目的とする。
【課題を解決するための手段】
【０００９】  上記の課題は本考案の請求項１によれば、ソフトテニスボールのコート面からの反発高さを計測する用具であって、プレート部と紐状部と錘部とからなり、該プレート部と該錘部とは該紐状部で連結されるとともに、該紐状部に複数のマーカー部を備えたことで解決される。【００１０】  上記の課題は本考案の請求項２によれば、ソフトテニスボールのコート面からの反発高さを計測する用具であって、プレート部と紐状部と錘部とからなり、該プレート部と該錘部とは該紐状部で連結されるとともに該紐状部に複数のマーカー部を備え、該プレート部の上辺から該錘部の底面までの長さが１５０ｃｍとし、該紐状部に備えられた該マーカー部は、該錘部の底面から該プレート部方向に向かって７０ｃｍの位置及び８０ｃｍの位置に備えられていることで解決される。
【考案の効果】
【００１１】  ソフトテニスボールのコート面からの反発高さを計測する用具であって、プレート部と紐状部と錘部とからなり、該プレート部と該錘部とは該紐状部で連結されるとともに該紐状部に複数のマーカー部を備え、該プレート部の上辺から該錘部の底面までの長さが１５０ｃｍとし、該紐状部に備えられた該マーカー部は、該錘部の底面から該プレート部方向に向かって７０ｃｍの位置及び８０ｃｍの位置に備えて本体を構成した。これによって、錘部がコート面（地面）に接している状態で紐状部が真っ直ぐにピンと張るようにプレート部を手で持つことによって、プレート部の上辺の高さが１５０ｃｍとなる。そしてこの１５０ｃｍの高さ位置にソフトテニスボールの下端を合わせてコート面に自由落下させたときのコート面からのバウンドした高さが、紐状部に備えられた７０ｃｍの高さ位置のマーカー部と８０ｃｍの高さ位置のマーカー部の間に入っているか否かで、従来のように目測ではなく定量的に計測することができるので、ソフトテニスの競技規則に適合したボールの空気圧に容易かつ正確に設定することが可能となる。
【図面の簡単な説明】
【００１２】
【図１】本考案のソフトテニスボールの反発計測用具の全体斜視図である。
【図２】使用時（計測時）の態様を示す説明図である。
【考案を実施するための形態】
【実施例１】
【００１３】  本考案の実施例１について、図面を参照して詳細に説明する。図１は、本考案のソフトテニスボールの反発計測用具の全体斜視図である。ソフトテニスボールの反発計測用具の本体（１）は、プレート部（２）、紐状部（３）、錘部（４）から構成されている。【００１４】  プレート部（２）は、平板で、手で持ったり、吊したりしたときにプレート形状を維持することができる硬度であれば特に材質を問わない。例えば、シリコンゴムなどの樹脂素材、軽量のアルミなど金属素材、合板などの木質素材などで形成される。プレート部（２）の上辺近傍には、開口部（２ａ）が備えられ、紐などを通して本体（１）を吊すときに用いる。また、プレート部（２）の底辺には、紐状部（３）が接続されて備えられている。紐状部（３）は、伸縮性がなくかつ自由に曲げたり真っ直ぐにしたりすることが可能な紐状の素材であれば特に材質は問わない。例えばナイロン、綿などの紐やロープ、ステンレスなどのワイヤー、アルミなどの軽量で細い鎖などで形成される。さらに、紐状部（３）の下方端部（プレート部（２）の底辺と紐状部（３）が接続された部分とは逆側端部）には、錘部（４）が接続されて備えられている。錘部（４）は、プレート部（２）を手で持ったときに紐状部（３）を真っ直ぐにピンと張ることができる重量であれば特に材質は問わない。例えば、シリコンゴムなどの樹脂素材が適度な弾性と重量があるので好適に用いることができる。さらにまた、紐状部（３）の長さ方向中程には、マーカー部（５）が備えられている。マーカー部（５）は、位置を示すマーカー（目印）として紐状部（３）に備えられていれば特にその素材や形状は問わない。例えば、紐状部（３）に目立つ色のテープを巻き付ける、シリコンゴムなどの樹脂素材で球状に形成し中央に開口した孔に紐状部（３）を挿通して固定するなどの手段で備えられる。【００１５】  以上のように構成された本体（１）は、本体（１）の錘部（４）がコート面（地面）に接してかつ紐状部（３）が真っ直ぐにピンと張るようにプレート部（２）を手で持つか、プレート部（２）の開口部（２ａ）に紐を挿通して適宜場所から吊り下げたときに、プレート部（２）の上辺から錘部（４）の底面の長さが１５０ｃｍとなるように構成されている。また、同様に本体（１）の錘部（４）がコート面（地面）に接してかつ紐状部（３）が真っ直ぐにピンと張るようにプレート部（２）を手で持つか、プレート部（２）の開口部（２ａ）に紐を挿通して適宜場所から吊り下げたときに、マーカー部（５）は、紐状部（３）の、錘部（４）の底面から上方に７０ｃｍの位置及び８０ｃｍの位置に備えられて構成されている。【００１６】  次に、前記したように構成された本体（１）の使用方法を、図２を参照して詳細に説明する。図２は、使用時（計測時）の態様を示す説明図である。なお、本体（１）は、錘部（４）がコート面（地面）に接してかつ紐状部（３）が真っ直ぐにピンと張るようにプレート部（２）を手で持つか、プレート部（２）の開口部（２ａ）に紐を挿通して適宜場所から吊り下げているものとして説明をする。【００１７】  図２に示すように、プレート部（２）の上辺はコート面から１５０ｃｍの高さ位置である。図中��Ａ）自由落下の破線で示すように、プレート部（２）の上辺にソフトテニスのボール（６）の下端を合わせて故意に力を加えることなく自由落下させる。そして、図中（Ｂ）バウンドした高さの破線で示すように、バウンドしたボール（６）の下端が、マーカー部（５）が位置する錘部（４）の底面から上方に７０ｃｍの位置から８０ｃｍの範囲内に収まっていれば、ボール（６）の空気圧は、財団法人日本ソフトテニス連盟が定めたソストテニスハンドブックの競技規則中の第３章（用具）第１３条（ボール）に定められた範囲内であり適正であるということが容易に判別できる。他方、バウンドしたボール（６）の下端が二つのマーカー部（５）が位置する範囲を逸脱していればボール（６）の空気圧は不適正であることが容易に判別でき、ボール（６）のバウンドした高さが７０ｃｍより低ければボール（６）の空気圧は低く、８０ｃｍよりも高ければ空気圧は高いと判断できるので、適宜ボール（６）の空気圧を適宜増減して適正なバウンド高さを得るように調整する。【００１８】  また、図示しないがプレート（２）は平板状で比較的面積があるので、例えば計測中の文字を印字して計測場所であることをソフトテニス競技参加者に対して認識しやすくしたり、メインスポンサーのロゴなどを印字して、コマーシャルしたりすることも合わせて行うこともできる。さらに、図示しないが収納時は、プレート部（２）と錘部（４）を重ねた上で紐状部（３）を巻き付けることで容易にコンパクトにすることができる。
【符号の説明】
【００１９】        １          本体
２          プレート部
２ａ        開孔部
３          紐状部
４          錘部
５          マーカー部
６          ボール
【図１】
0003190767.tif 000003
【図２】
0003190767.tif 000004